(57)【要約】【課題】リボンユニットの廃棄時にインクリボン用ボビンから接触式ＩＣタグまたはＲＦタグを容易に取り外すこと。【解決手段】インクリボン用ボビンとなる供給側ボビン１０はその端部１０ａに挿入されたボビン端部ユニット３０を有する。ボビン端部ユニット３０はその外面３０ａに設けられたＲＦタグ４０を有する。ボビン端部ユニット３０にその外周縁に至る易破断線３６が設けられ、ボビン端部ユニット３０を易破断線３６から破断して接触式ＩＣタグ４１またはＲＦタグ４０を取り外す。【選択図】図１Ａ
2020152010.tif 000002
【特許請求の範囲】
【請求項１】
ボビン端部ユニットを有する円筒状のボビン本体を備え、
前記ボビン端部ユニットは軸線方向内側の内面と軸線方向外側の外面とを有し、前記ボビン端部ユニットの前記内面または前記外面に接触式ＩＣタグまたはＲＦタグが設けられ、
前記ボビン端部ユニットに、前記ボビン端部ユニットの外周縁に至る易破断線を設け、前記ボビン端部ユニットのうち前記易破断線により破断される破断部分により前記接触式ＩＣタグまたはＲＦタグを前記ボビン端部ユニットから取り外す、インクリボン用ボビン。
【請求項２】
ボビン端部ユニットを有する円筒状のボビン本体を備え、
前記ボビン端部ユニットは軸線方向内側の内面と軸線方向外側の外面とを有し、前記ボビン端部ユニットの前記内面または前記外面に接触式ＩＣタグまたはＲＦタグが設けられ、
前記ボビン端部ユニットの外周縁に切り欠きを設け、前記切り欠きを介して前記接触式ＩＣタグまたはＲＦタグを前記ボビン端部ユニットから取り外す、インクリボン用ボビン。
【請求項３】
ボビン端部ユニットを有する円筒状のボビン本体を備え、
前記ボビン端部ユニットは軸線方向内側の内面と軸線方向外側の外面とを有し、前記ボビン端部ユニットの前記内面または前記外面に接触式ＩＣタグまたはＲＦタグが設けられ、
前記ボビン端部ユニットに貫通口が設けられ、前記貫通口を介して前記接触式ＩＣタグまたはＲＦタグを前記ボビン端部ユニットから取り外す、インクリボン用ボビン。
【請求項４】
前記ボビン端部ユニットにＲＦタグが設けられている、請求項１乃至３のいずれか記載のインクリボン用ボビン。
【請求項５】
前記ＲＦタグは前記ボビン端部ユニットの前記外面に設けられ、前記ボビン端部ユニットに前記ＲＦタグを覆って蓋体が取り付けられている、請求項４記載のインクリボン用ボビン。
【請求項６】
前記ボビン端部ユニットに接触式ＩＣタグが設けられている、請求項１乃至３のいずれか記載のインクリボン用ボビン。
【請求項７】
前記ボビン端部ユニットは前記ボビン端部ユニットから軸線方向外方へ延びる駆動ギアを有する、請求項１乃至６のいずれか記載のインクリボン用ボビン。
【発明の詳細な説明】
【技術分野】
【０００１】
本開示は、インクリボン用ボビンに関する。
【背景技術】
【０００２】
インクリボン（熱転写シート）を用いて、受像シートなどの被転写体に文字や画像等を印字する熱転写プリンタが、広く普及している。インクリボンは、帯状に延びるリボン（支持層）と、リボン上に形成され、染料等を含んだインク層と、を有している。このようなインクリボンは、供給側ボビンに巻き付けられ、使用済みのインクリボンが巻取側ボビンに巻き取られてリボンユニットを構成し、このリボンユニットは熱転写プリンタに取り付けられている。
【０００３】
ところでリボンユニットの供給側ボビンおよび巻取側ボビンは、いずれも一対の端部をもつ円筒状のボビン本体を含み、熱転写プリンタの支持部に支持される。また供給側ボビンおよび巻取側ボビンのいずれかに、印画サイズやロット情報を含むＲＦタグが取り付けられている。このＲＦタグは、ＲＦＩＤシステムにおけるメモリが内蔵された記憶媒体であり、情報が埋め込まれたＲＦタグと、プリンタに設置されたリーダーライタの間で近距離の無線通信によって情報をやりとりするものであり、ＲＦタグは内部にアンテナやＩＣなどを有し、結果として金属部分を含んでいる。
【先行技術文献】
【特許文献】
【０００４】
【特許文献１】特開２０１６−２１００７４号公報
【発明の概要】
【発明が解決しようとする課題】
【０００５】
ところで、リボンユニットは使用後に廃棄されるが、この場合、供給側ボビンまたは巻取側ボビンからこの金属部分を含むＲＦタグを容易に取り外すことができれば、金属部分を含むＲＦタグと合成樹脂含むリボンユニットの他の部分を分別後にリボンユニットを廃棄することができて都合がよい。
【０００６】
本開示は、このような点を考慮してなされたものであり、リボンユニットの廃棄時にインクリボン用ボビンから接触式ＩＣタグまたはＲＦタグを容易に取り外すことができるインクリボン用ボビンを提供することを目的とする。
【課題を解決するための手段】
【０００７】
本開示は、ボビン端部ユニットを有する円筒状のボビン本体を備え、前記ボビン端部ユニットは軸線方向内側の内面と軸線方向外側の外面とを有し、前記ボビン端部ユニットの前記内面または前記外面に接触式ＩＣタグまたはＲＦタグが設けられ、前記ボビン端部ユニットに、前記ボビン端部ユニットの外周縁に至る易破断線を設け、前記ボビン端部ユニットのうち前記易破断線により破断される破断部分により前記接触式ＩＣタグまたはＲＦタグを前記ボビン端部ユニットから取り外す、インクリボン用ボビンである。
【０００８】
本開示は、ボビン端部ユニットを有する円筒状のボビン本体を備え、前記ボビン端部ユニットは軸線方向内側の内面と軸線方向外側の外面とを有し、前記ボビン端部ユニットの前記内面または前記外面に接触式ＩＣタグまたはＲＦタグが設けられ、前記ボビン端部ユニットの外周縁に切り欠きを設け、前記切り欠きを介して前記接触式ＩＣタグまたはＲＦタグを前記ボビン端部ユニットから取り外す、インクリボン用ボビンである。
【０００９】
本開示は、ボビン端部ユニットを有する円筒状のボビン本体を備え、前記ボビン端部ユニットは軸線方向内側の内面と軸線方向外側の外面とを有し、前記ボビン端部ユニットの前記内面または前記外面に接触式ＩＣタグまたはＲＦタグが設けられ、前記ボビン端部ユニットに貫通口が設けられ、前記貫通口を介して前記接触式ＩＣタグまたはＲＦタグを前記ボビン端部ユニットから取り外す、インクリボン用ボビンである。
【００１０】
本開示は、前記ボビン端部ユニットにＲＦタグが設けられている、インクリボン用ボビンである。
【００１１】
本開示は、前記ＲＦタグは前記ボビン端部ユニットの前記外面に設けられ、前記ボビン端部ユニットに前記ＲＦタグを覆って蓋体が取り付けられている、インクリボン用ボビンである。
【００１２】
本開示は、前記ボビン端部ユニットに接触式ＩＣタグが設けられている、インクリボン用ボビンである。
【００１３】
本開示は、前記ボビン端部ユニットは前記ボビン端部ユニットから軸線方向外方へ延びる駆動ギアを有する、インクリボン用ボビンである。
【発明の効果】
【００１４】
本開示によれば、リボンユニットの廃棄時にインクリボン用ボビンから接触式ＩＣタグまたはＲＦタグを容易に外すことができる。
【図面の簡単な説明】
【００１５】
【図１Ａ】図１Ａは第１の実施の形態によるインクリボン用ボビンを示す斜視図。
【図１Ｂ】図１Ｂは図１Ａに示すインクリボン用ボビンを別の角度からみた斜視図。
【図２】図２は第１の実施の形態によるインクリボン用ボビンからＲＦタグを取り外した状態を示す斜視図。
【図３】図３は第１の実施の形態によるリボンユニットを示す平面図。
【図４Ａ】図４Ａは第２の実施の形態によるインクリボン用ボビンを示す斜視図。
【図４Ｂ】図４Ｂは図４Ａに示すインクリボン用ボビンを別の角度からみた斜視図。
【図５】図５は第３の実施の形態によるリンクリボン用ボビンを示す斜視図。
【図６】図６は第４の実施の形態によるリンクリボン用ボビンを示す斜視図。
【図７】図７は第５の実施の形態によるリンクリボン用ボビンを示す斜視図。
【図８】図８は第６の実施の形態によるリンクリボン用ボビンを示す斜視図。
【図９】図９は第７の実施の形態によるリンクリボン用ボビンを示す斜視図。
【図１０】図１０は第８の実施の形態によるリンクリボン用ボビンを示す斜視図。
【図１１】図１１は第９の実施の形態によるリンクリボン用ボビンを示す斜視図。
【発明を実施するための形態】
【００１６】
＜第１の実施の形態＞
以下、図面を参照して本発明の第１の実施の形態について説明する。
【００１７】
図１Ａ乃至図３は、本開示の第１の実施の形態を示す図である。
【００１８】
まず図３により熱転写プリンタ５０に装着されたリボンユニット１について説明する。
【００１９】
リボンユニット１は、供給側ボビン１０と、巻取側ボビン２０とを備え、供給側ボビン１０と巻取側ボビン２０との間に支持層とインク層とを有するインクリボン（熱転写シート）３が設けられている。このインクリボン３は供給側ボビン１０と巻取側ボビン２０に各々取り付けられている。また、供給側ボビン１０と巻取側ボビン２０とからリボンユニット１が構成され、このリボンユニット１は、収納ケース２内に収納される。なお、リボンユニット１を収納する収納ケース２は必ずしも必須のものではない。
【００２０】
なお、供給側ボビン１０および巻取側ボビン２０は、インクリボン用ボビンともいい、供給側ボビン１０と、巻取側ボビン２０と、インクリボン３とにより、インクリボン用ボビンの組み合わせ体１Ａが構成される。
【００２１】
このような構成からなるリボンユニット１のうち、供給側ボビン１０は円筒状のボビン本体１０Ａを備え、ボビン本体１０Ａは一対の端部１０ａ、１０ｂを有する。
【００２２】
またボビン本体１０Ａの一方の端部１０ａは、収納ケース２の軸受２Ａにより回転可能に支持される。またボビン本体１０Ａの他方の端部１０ｂは収納ケース２の軸受２Ａにより回転可能に支持される。また、ボビン本体１０Ａの他方の端部１０ｂの端面に、熱転写プリンタ５０に内蔵された駆動軸（図示せず）に係止される複数の突起部１２ａからなる駆動ギア１２が形成されている。またボビン本体１０Ａの一方の端部１０ａには後述するボビン端部ユニット３０が挿着されている。
【００２３】
また、巻取側ボビン２０は一対の端部２０ａ、２０ｂを有する円筒状のボビン本体２０Ａを有し、巻取側ボビン２０のボビン本体２０Ａの一方の端部２０ａには収納ケース２の軸受２Ａにより回転可能に支持される回転軸２３が取り付けられている。また巻取側ボビン２０のボビン本体２０Ａの他方の端部２０ｂには、係合板２８が設けられている。ボビン本体２０Ａの他方の端部２０ｂは、収納ケース２の軸受２Ａに回転可能に支持され、また、ボビン本体２０Ａの係合板２８は、収納ケース２に係止される。
【００２４】
またボビン本体２０Ａの他方の端部２０ｂは収納ケース２の軸受２Ａにより回転可能に支持されるとともに、他方の端部２０ｂの端面に、熱転写プリンタ５０に内蔵された駆動軸（図示せず）に係止される複数の突起部２２ａからなる駆動ギア２２が形成されている。また、ボビン本体２０Ａの他方の端部２０ｂに設けられた係合板２８は、収納ケース２に係合される。
【００２５】
ところで供給側ボビン１０のボビン本体１０Ａの一方の端部１０ａに、ボビン本体１０Ａの外径より大きな外径を有するボビン端部ユニット３０が挿着されている。このボビン端部ユニット３０は図１Ａ乃至図２に示すように、軸線方向外側の外面３０ａと軸線方向内側の内面３０ｂとを有し、ボビン端部ユニット３０の外面３０ａには非接触式のＩＣタグ、例えばＲＦタグ４０が設けられている。なお、ボビン端部ユニット３０の外径はボビン本体１０Ａの外径より大きくなっている例を示したが、ボビン端部ユニット３０の外径はボビン本体１０Ａの外径と略同一でもよい。また、ボビン本体１０Ａの一方の端部１０ａにボビン端部ユニット３０が挿着された例を示したが、ボビン端部ユニット３０をボビン本体１０Ａと一体に形成してもよい。
【００２６】
また、ボビン端部ユニット３０は外径が大きな大径部分３１ａと、外径が小さい小径部分３１ｂとを有し、上述した外面３０ａと内面３０ｂは大径部分３１ａに形成され、小径部分３１ｂはボビン本体１０Ａ内に嵌め込まれる部分となっている。
【００２７】
さらにまた、ボビン端部ユニット３０の大径部分３１ａには、大径部分３１ａの外周縁に至る易破断線３６が設けられている。この場合、易破断線３６はミシン目等により形成され、内側へ空出するＲ形状をもつ。そしてこの大径部分３１ａの易破断線３６から大径部分３１ａを破断することにより、大径部分３１ａから破断部分３６ａが破断される。
【００２８】
ところでボビン端部ユニット３０には、その外面３０ａ側に円筒状の突出部３３が設けられている。
【００２９】
このためボビン端部ユニット３０の外面３０ａに設けられたＲＦタグ４０はリング状をなし、ＲＦタグ４０は半径方向内方の突出部３３側から半径方向外方に向かってボビン端部ユニット３０の大径部分３１ａの外周縁まで延びている。
【００３０】
上述のように、大径部分３１ａの易破断線３６に沿って大径部分３１ａを破断する際、ＲＦタグ４０の外周部分が大径部分３１ａから破断される破断部分３６ａとともに、大径部分３１ａから離れる。更に大径部分３１ａから破断部分３６ａを引き離すことにより、ボビン端部ユニット３０の外面３０ａからＲＦタグ４０を取り外すことができる。
【００３１】
ところで、ＲＦタグ４０は全体として薄いリング状をなし、リボンユニット１の廃棄時に巻取用ボビンから取り外すことが求められている。この場合、ロット情報としては、リボンユニット１のロット番号、品種情報、画面サイズ、総画面数を含む。またＲＦタグ４０は、その他インクリボン３の残量情報を含む。
【００３２】
次にこのような構成からなる本実施の形態の作用について説明する。
【００３３】
まずインクリボン３が巻付けられた供給側ボビン１０と、巻取側ボビン２０とを準備する。この場合、インクリボン３はタッチローラを用いて、供給側ボビン１０に押付けられて巻付けられる。また供給側ボビン１０と巻取側ボビン２０とによりインクリボン用ボビンの組み合わせ体１Ａが構成される。
【００３４】
次に供給側ボビン１０と巻取側ボビン２０とを収納ケース２内に装着し、このようにして収納ケース２と、インクリボン３が巻付けられた供給側ボビン１０および巻取側ボビン２０とを有するリボンユニット１が得られる。
【００３５】
次にリボンユニット１は熱転写プリンタ５０の装着部５０Ａに装着される。上述のように、収納ケース２は必ずしも設ける必要はなく、供給側ボビン１０と巻取側ボビン２０を熱転写プリンタ５０の装着部５０Ａに直接装着してもよい。
【００３６】
次に巻取側ボビン２０が図示しない熱転写プリンタ５０側の駆動機構および駆動ギア２２により駆動され、供給側ボビン１０に対して図示しない熱転写プリンタ５０側の駆動機構および駆動ギア１２からブレーキがかけられる。このようにして供給側ボビン１０に巻付けられていたインクリボン３が巻取側ボビン２０により張力がかけられた状態で供給される。次に供給側ボビン１０と巻取側ボビン２０との間に延びるインクリボン３がサーマルヘッド（図示せず）により加熱され、インクリボン３のインクが受像シート（図示せず）に転写され、このようにして熱転写作業が行なわれる。
【００３７】
この間、熱転写プリンタ５０側に設けられたタグリーダによりＲＦタグ４０内のリボンサイズやロット情報の読み取りや、リボンの残枚数の書き込みが行われる。
【００３８】
タグリーダにより読み取られた情報は制御部5へ送られ、印画動作に活用される。
【００３９】
熱転写作業が終了した後、熱転写プリンタ５０からリボンユニット１が取外され、さらにリボンユニット１から供給側ボビン１０、巻取側ボビン２０およびインクリボン３が取り外される。次に供給側ボビン１０の端部１０ａに設けられたボビン端部ユニット３０からＲＦタグ４０が取り外され、主として合成樹脂からなる供給側ボビン１０、巻取側ボビン２０およびインクリボン３と、金属部分を含むＲＦタグ４０とが分別され、主として合成樹脂からなる供給側ボビン１０、巻取側ボビン２０およびインクリボン３と、金属部分を含むＲＦタグ４０は別々に廃棄される。
【００４０】
供給側ボビン１０側に設けられたボビン端部ユニット３０からＲＦタグ４０を取り外す場合、ボビン端部ユニット３０の大径部分３１ａを易破断線３６に沿って破断する。このとき易破断線３６に沿って破断される破断部分３６ａとともに、ＲＦタグ４０の外周部分が大径部分３１ａから離れる。更に大径部分３１ａから破断部分３６ａを引き離すことにより、ボビン端部ユニット３０の外面３０ａからＲＦタグ４０を取り外すことができる。
【００４１】
このようにして、ボビン端部ユニット３０からＲＦタグ４０を容易に取り出すことができる。
【００４２】
以上のように本実施の形態によれば、リボンユニット１の廃棄時にボビン端部ユニット３０からＲＦタグ２５を容易に取り出すことができる。
【００４３】
＜第２の実施の形態＞
次に図４Ａおよび図４Ｂにより本開示の第２の実施の形態について説明する。
【００４４】
なお、図４Ａおよび図４Ｂに示す第２の実施の形態において、図１Ａ乃至図３に示す第１の実施の形態と同一部分には同一符号を付して詳細な説明は省略する。
【００４５】
上記第１の実施の形態において、供給側ボビン１０に設けられたボビン端部ユニット３０の大径部分３１ａの外面３０ａにＲＦタグ４０を取り付けるとともに、大径部分３１ａに、大径部分３１ａの外周縁に至る易破断線３６を設けた例を示したが、これに限らず、大径部分３１ａの外面３０ａにＲＦタグを取り付けるとともに、大径部分３１ａの外周縁に３つの切り欠き３７を１２０°ずつ離間させて等間隔で設けてもよい。
【００４６】
図４Ａおよび図４Ｂに示すように、大径部分３１ａの外周縁に切り欠き３７を設けることにより、この切り欠き３７を介してＲＦタグ４０の露出部分４０ａを大径部分３１ａの内面３０ｂ側に露出させることができる。
【００４７】
そしてボビン端部ユニット３０からＲＦタグ４０を取り外す際、ＲＦタグ４０の露出部分４０ａを把持してボビン端部ユニット３０の外面３０ａ側へ引っ張ることによりＲＦタグ４０をボビン端部ユニット３０の外面３０ａから取り外すことができる。
【００４８】
＜第３の実施の形態＞
次に図５により本開示の第３の実施の形態について説明する。
【００４９】
なお、図５に示す第３の実施の形態において、図１乃至図３に示す第１の実施の形態と同一部分には同一符号を付して詳細な説明は省略する。
【００５０】
上記第１の実施の形態において、供給側ボビン１０に設けられたボビン端部ユニット３０の大径部分３１ａの外面３０ａにＲＦタグ４０を取り付けるとともに、大径部分３１ａに、大径部分３１ａの外周縁に至る易破断線３６を設けた例を示したが、これに限らず、ボビン端部ユニット３０の外面３０ａにＲＦタグ４０を取り付けるとともに、ボビン端部ユニット３０の大径部分３１ａに、貫通口３７Ａを設けてもよい。
【００５１】
ボビン端部ユニット３０からＲＦタグ４０を取り外す際、大径部分３１ａの内面３０ｂ側から貫通口３７Ａ内に指を挿入し、大径部分３１ａの外面３０ａに取り付けられたＲＦタグ４０を指により押圧する。このことによりＲＦタグ４０を大径部分３１ａの外面３０ａから容易に取り外すことができる。
【００５２】
＜第４の実施の形態＞
次に図６により本開示の第４の実施の形態について説明する。
【００５３】
なお、図６に示す第４の実施の形態において、図１Ａ乃至図３に示す第１の実施の形態と同一部分には同一符号を付して詳細な説明は省略する。
【００５４】
図６に示すように、供給側ボビン１０に設けられたボビン端部ユニット３０の大径部分３１ａの外面３０ａにＲＦタグ４０が取り付けられ、また大径部分３１ａに、大径部分３１ａの外周縁に至る易破断線３６が設けられている。
【００５５】
またボビン端部ユニット３０はその外面３０ａ側に設けられた円筒状の突出部３３を有する、図６において、突出部３３はその内側に形成され、熱転写プリンタ５０側の駆動軸（図示せず）に係合する駆動ギア３３ａを有している。
【００５６】
＜第５の実施の形態＞
次に図７により本開示の第７の実施の形態について説明する。
【００５７】
なお、図７に示す第５の実施の形態において、図１Ａ乃至図３に示す第１の実施の形態と同一部分には同一符号を付して詳細な説明は省略する。
【００５８】
図７に示すように、供給側ボビン１０に設けられたボビン端部ユニット３０の大径部分３１ａの外面３０ａに、ＲＦタグ４０を取り付けられている。また大径部分３１ａに、大径部分３１ａの外周縁に至る易破断線３６が設けられている。
【００５９】
すなわち、供給側ボビン１０はボビン本体１０Ａと、ボビン本体１０Ａの一方の端部１０ａに設けられたボビン端部ユニット３０とを備え、このうちボビン端部ユニット３０は軸線方向外側の大径部分３１ａと、軸線方向内側にあってボビン本体１０Ａ内に嵌め込まれる小径部分３１ｂとを有する。
【００６０】
また大径部分３１ａには、その外面３０ａ側に外周壁３１ｃにより囲まれた凹状部３２が形成され、外面３０ａ側の凹状部３２内にＲＦタグ４０が配置されている。また大径部分３１ａの凹状部３２内に配置されたＲＦタグ４０は、凹状部３２を密閉する蓋体３８により保持される。さらに大径部分３１ａに設けられた易破断線３６は、大径部分３１ａの外面３０ａから外周壁３１ｃに至るよう延びている。
【００６１】
ボビン端部ユニット３０からＲＦタグ４０を取り外す場合、まず大径部分３１ａから蓋体３８を取り外す。次に大径部分３１ａを大径部分３１ａの外面３０ａから外周壁３１ｃまで延びる易破断線３６に沿って破断する。このとき易破断線３６に沿って破断される破断部分３６ａとともに、ＲＦタグ４０をボビン端部ユニット３０の外面３０ａから取り外すことができる。
【００６２】
＜第６の実施の形態＞
次に図８により本開示の第６の実施の形態について説明する。
【００６３】
なお、図６に示す第６の実施の形態において、図１Ａ乃至図３に示す第１の実施の形態と同一部分には同一符号を付して詳細な説明は省略する。
【００６４】
図８に示すように、ボビン端部ユニット３０の大径部分３１ａのうち、その内面３０ｂにＲＦタグ４０が取り付けられ、大径部分３１ａに、大径部分３１ａの外周縁に至る易破断線３６が設けられている。
【００６５】
すなわち、図８に示すように、供給側ボビン１０はボビン本体１０Ａと、ボビン本体１０Ａの一方の端部１０ａに設けられたボビン端部ユニット３０とを備え、このうちボビン端部ユニット３０は軸線方向外側の大径部分３１ａと、軸線方向内側にあってボビン本体１０Ａ内に嵌め込まれる小径部分３１ｂとを有する。
【００６６】
また大径部分３１ａには、その外面３０ａ側に外周壁３１ｃにより囲まれた凹状部３２が形成されている。さらに大径部分３１ａの内面３０ｂ（図８では図示しないが、図１Ｂ参照）に、ＲＦタグ４０が取り付けられている。
【００６７】
さらに、大径部分３１ａに設けられた易破断線３６は、大径部分３１ａの外面３０ａから外周壁３１ｃに至るよう延びている。
【００６８】
ボビン端部ユニット３０からＲＦタグ４０を取り外す場合、大径部分３１ａをボビン端部ユニット３０の外面３０ａから外周壁３１ｃまで延びる易破断線３６に沿って破断する。このとき易破断線３６に沿って破断される破断部分３６ａとともに、ＲＦタグ４０をボビン端部ユニット３０の内面３０ｂから取り外すことができる。
【００６９】
＜第７の実施の形態＞
次に図９により本開示の第７の実施の形態について説明する。
【００７０】
なお、図９に示す第７の実施の形態において、図１Ａ乃至図３に示す第１の実施の形態と同一部分には同一符号を付して詳細な説明は省略する。
【００７１】
図９に示すように、ボビン端部ユニット３０の大径部分３１ａの外面３０ａにＲＦタグ４０が取り付けられ、大径部分３１ａに、大径部分３１ａの外周縁に至る易破断線３６が設けられている。
【００７２】
すなわち、供給側ボビン１０はボビン本体１０Ａと、ボビン本体１０Ａの一方の端部１０ａに設けられたボビン端部ユニット３０とを備え、このうちボビン端部ユニット３０は軸線方向外側の大径部分３１ａと、軸線方向内側にあってボビン本体１０Ａ内に嵌め込まれる小径部分３１ｂとを有する。
【００７３】
また大径部分３１ａには、その外面３０ａ側に外周壁３１ｃにより囲まれた凹状部３２が形成され、外面３０ａ側の凹状部３２内にＲＦタグ４０が配置されている。また大径部分３１ａの凹状部３２内に配置されたＲＦタグ４０は、外周壁３１ｃに設けられ半径方向内方へ突出する突起３１ｄにより保持される。さらに大径部分３１ａに設けられた易破断線３６は、大径部分３１ａの外面３０ａから外周壁３１ｃに至るよう延びている。
【００７４】
ボビン端部ユニット３０からＲＦタグ４０を取り外す場合、大径部分３１ａを大径部分３１ａの外面３０ａから外周壁３１ｃまで延びる易破断線３６に沿って破断する。このとき易破断線３６に沿って破断される破断部分３６ａとともにＲＦタグ４０をボビン端部ユニット３０の凹状部３２から取り外すことができる。
【００７５】
＜第８の実施の形態＞
次に図１０により本開示の第８の実施の形態について説明する。
【００７６】
なお、図１０に示す第８の実施の形態において、図１Ａ乃至図３に示す第１の実施の形態と同一部分には同一符号を付して詳細な説明は省略する。
【００７７】
図１０に示すように、ボビン端部ユニット３０の大径部分３１ａの外面３０ａに接触式ＩＣタグ４１が取り付けられている。また大径部分３１ａに、大径部分３１ａの外周縁に至る易破断線３６が設けられている。ここで接触式ＩＣタグ４１としては、ＲＦタグ４０と同様、基材と、ＩＣチップと、金属製の配線を含むものが考えられる。
【００７８】
すなわち、供給側ボビン１０はボビン本体１０Ａと、ボビン本体１０Ａの一方の端部１０ａに設けられたボビン端部ユニット３０とを備え、このうちボビン端部ユニット３０は軸線方向外側の大径部分３１ａと、軸線方向内側にあってボビン本体１０Ａ内に嵌め込まれる小径部分３１ｂとを有する。
【００７９】
また大径部分３１ａには、その外面３０ａ側に外周壁３１ｃにより囲まれた凹状部３２が形成され、外面３０ａ側の凹状部３２内に接触式ＩＣタグ４１が配置されている。また大径部分３１ａの凹状部３２内に配置された接触式ＩＣタグ４１は、外周壁３１ｃに設けられ半径方向内方へ突出する突起３１ｄにより保持される。さらに大径部分に設けられた易破断線３６は、大径部分３１ａの外面３０ａから外周壁３１ｃに至るよう延びている。
【００８０】
ボビン端部ユニット３０から接触式ＩＣタグ４１を取り外す場合、大径部分３１ａを大径部分３１ａの外面３０ａから外周壁３１ｃまで延びる易破断線３６に沿って破断する。このとき易破断線３６に沿って破断される破断部分３６ａとともに接触式ＩＣタグ４１をボビン端部ユニット３０の外面３０ａから取り外すことができる。
【００８１】
＜第９の実施の形態＞
次に図１１により本開示の第９の実施の形態について説明する。
【００８２】
なお、図１１に示す第９の実施の形態において、図１Ａ乃至図３に示す第１の実施の形態と同一部分には同一符号を付して詳細な説明は省略する。
【００８３】
図１１に示すように、ボビン端部ユニット３０の大径部分３１ａの外面３０ａに接触式ＩＣタグ４１が取り付けられている。また大径部分３１ａに、大径部分３１ａの外周縁に至る易破断線３６が設けられている。
【００８４】
すなわち、供給側ボビン１０はボビン本体１０Ａと、ボビン本体１０Ａの一方の端部１０ａに設けられたボビン端部ユニット３０とを備え、このうちボビン端部ユニット３０は軸線方向外側の大径部分３１ａと、軸線方向内側にあってボビン本体１０Ａ内に嵌め込まれる小径部分３１ｂとを有する。
また大径部分３１ａには、その外面３０ａ側に外周壁３１ｃにより囲まれた凹状部３２が形成され、外面３０ａ側の凹状部３２内に接触式ＩＣタグ４１が配置されている。また大径部分３１ａの凹状部３２内に配置された接触式ＩＣタグ４１は、外周壁３２ｃに設けられ半径方向内方に突出する突起３１ｄを接触式ＩＣタグ４１の切り欠き４１ｂに合わせることにより保持される。さらに大径部分３１ａに設けられた易破断線３６は、大径部分３１ａの外面３０ａから外周壁３１ｃに至るよう延びている。
【００８５】
ボビン端部ユニット３０から接触式ＩＣタグ４１を取り外す場合、まず大径部分３１ａから蓋体３８を取り外す。次に大径部分３１ａを大径部分３１ａの外面３０ａから外周壁３１ｃまで延びる易破断線３６に沿って破断する。このとき易破断線３６に沿って破断される破断部分３６ａとともに接触式ＩＣタグ４１をボビン端部ユニット３０の外面３０ａから取り外すことができる。
【００８６】
＜その他の変形例＞
なお、上記第４の実施の形態〜第９の実施の形態において、ボビン端部ユニット３０に易破断線３６を設けた例を示したが、第４の実施の形態〜第９の実施の形態において、ボビン端部ユニット３０に切り欠き３７を設けてもよく（図４Ａおよび図４Ｂ参照）。また第４の実施の形態〜第９の実施の形態においてボビン端部ユニット３０に貫通口３７Ａを設けてもよい。
【符号の説明】
【００８７】
１  リボンユニット
１Ａ  インクリボン用ボビンの組み合わせ体
２  収納ケース
２Ａ  軸受
３  インクリボン
１０  供給側ボビン
１０Ａ  ボビン本体
１０ａ、１０ｂ  端部
１２  駆動ギア
１２ａ  突起部
１３  開口
２０  巻取側ボビン
２０Ａ  ボビン本体
２０ａ、２０ｂ  端部
２２  駆動ギア
２２ａ  突起部
２３  回転軸
３０  ボビン端部ユニット
３０ａ  外面
３０ｂ  内面
３１ａ  大径部分
３１ｂ  小径部分
３１ｃ  外周壁
３２  凹状部
３６  易破断線
３６ａ  破断部分
３７  切り欠き
３７Ａ  貫通口
４０  ＲＦタグ
４１  接触式ＩＣタグ
５０  熱転写プリンタ
５０Ａ  装着部
【図１Ａ】
2020152010.tif 000003
【図１Ｂ】
2020152010.tif 000004
【図２】
2020152010.tif 000005
【図３】
2020152010.tif 000006
【図４Ａ】
2020152010.tif 000007
【図４Ｂ】
2020152010.tif 000008
【図５】
2020152010.tif 000009
【図６】
2020152010.tif 000010
【図７】
2020152010.tif 000011
【図８】
2020152010.tif 000012
【図９】
2020152010.tif 000013
【図１０】
2020152010.tif 000014
【図１１】
2020152010.tif 000015